(57)【要約】【課題】密閉型電動圧縮機のクランクシャフトの変位を規制するストッパーとの接触に関し、連続に発生する接触騒音の低減を図る。【解決手段】ストッパー１０６には絞り成型により内周面側に上下に亘って突出した突起部１０６ａを形成したものであり、電動圧縮機体１０７の運転時に外部からの衝撃振動が電動圧縮機体１０７に加わっても、クランクシャフト１０５の上端部が、ストッパー１０６の内周面側に沿った連続的な回転運動を防止でき、騒音の発生を低減することができる。【選択図】　図１
2004138018.tif 000002
【特許請求の範囲】
【請求項１】
密閉容器内に弾性支持された圧縮要素と、前記圧縮要素の上側に固定され、これを駆動する電動要素と、前記密閉容器の内側上部に固定され、前記圧縮要素を構成するクランクシャフトの上端部に遊嵌される略カップ状のストッパーとを備えるとともに、前記ストッパーには内周面側に突出した突起部を形成した密閉型電動圧縮機。
【請求項２】
前記突起部は絞り成型によって前記ストッパーと一体に成型された請求項１記載の密閉型電動圧縮機。
【請求項３】
前記突起部は前記ストッパー内面の上下に亘って溝状の形状とした請求項１または２に記載の密閉型電動圧縮機
【請求項４】
前記突起部の先端部は曲面状に形成した請求項１から３のいずれか一項に記載の密閉型電動圧縮機。
【請求項５】
前記突起部は弾性支持された圧縮要素の傾き剛性の高い方向に設けた請求項１から請求項４のいずれか１項に記載の密閉型電動圧縮機。
【発明の詳細な説明】
【０００１】
【発明の属する技術分野】
本発明は冷蔵庫等、冷凍機器に搭載され冷媒を圧縮し吐出して冷却運転を行う密閉型電動圧縮機に関するものである。
【０００２】
【従来の技術】
従来の密閉型電動圧縮機としては，通常，上下部シェルからなる密閉容器，その密閉容器の内部に互いに関連された動作をするように設けられた電動要素および圧縮要素を備える（例えば、特許文献１参照）。
【０００３】
以下、図面を参照しながら上記従来の密閉型電動圧縮機を説明する。図４において、１は密閉型電動圧縮機を示し、その密閉容器２は、上下に２分割された上ケース２ａと下ケース２ｂの互いの開口端縁を突き合わせて、溶接等により結合して形成している。３はこの密閉容器２の内部に複数の弾性支持装置４を介して電動圧縮機体３が弾性的に支持されて収納される。電動要素５は密閉容器２内の上部に配置され、固定子６と回転子７を含んで構成される。下部には圧縮要素８が設置され、そしてこの圧縮要素８と電動要素５を連結するクランクシャフト９が回転子７に取り付けられている。
１０はクランクシャフト９の上端部を挿入するストッパーで密閉容器２の上部に取付けている。
【０００４】
以上のように構成された密閉型電動圧縮機について、以下その動作を説明する。
密閉容器２の上部に取付けられたストッパー１０の内径の中心にクランクシャフト９の上端部を挿入位置させて密閉型電動圧縮機１の輸送時等に電動圧縮機体３が振れ動く時、密閉容器２の内面への当たりを防止し電動圧縮機体３を保護している（例えば、特許文献１参照）。
【０００５】
【特許文献１】
特開平１１−３０３７４０号公報
【０００６】
【発明が解決しようとする課題】
しかしながら、上記従来の構成は、冷蔵庫および冷凍装置に密閉型電動圧縮機１を取付け固定した条件で密閉型電動圧縮機１の振動を絶縁する防振ゴムの硬度と取付け条件に加え配管接続の剛性とが強くなるほど密閉容器２は固定の状態になる。この取付け条件において、電動圧縮機体３の運転時に、外部からの衝撃振動が加わった際に弾性支持された電動圧縮機体３の動きによりクランクシャフト９の上端部がストッパー１０の内周面側に当りクランクシャフト９の回転力とストッパー１０の内周面側の摩擦によってクランクシャフト９が反発し、その反発の反動でストッパー１０の内周面側に当たりこの状態が連続に繰り返されストッパー１０の内周面に沿って回転運動しながら接触し騒音を発生するという欠点があった。
【０００７】
本発明は従来の課題を解決するもので、クランクシャフトの上端部が、ストッパーの内周面に沿って連続的に回転、接触して騒音を発生することのないことを目的とする。
【０００８】
【課題を解決するための手段】
本発明の請求項１に記載の発明は、密閉容器内に弾性支持された圧縮要素と、前記圧縮要素の上側に固定され、これを駆動する電動要素と、前記密閉容器の内側上部に固定され、前記圧縮要素を構成するクランクシャフトの上端部に遊嵌される略カップ状のストッパーとからなり、前記ストッパーには内周面側に突出した突起部を形成したものであり、クランクシャフトの上端部が、ストッパーの内周面側に沿って回転する際、ストッパーの内周面側に突出した突起部に衝突し、衝撃の反動により連続する回転運動を防止できるという作用を有する。
【０００９】
請求項２に記載の発明は、請求項１に記載の発明に、さらに、前記突起部は絞り成型によって前記ストッパーと一体に成型されたものであり、請求項１に記載の発明に加えて、容易に突起部を設けることができ、コストが上がらないようににできるという作用を有する。
【００１０】
請求項３に記載の発明は、請求項１または請求項２に記載の発明において、前記突起部は前記ストッパー内面の上下に亘って溝状に形成するように構成したものであり、請求項１または請求項２に記載の発明の作用に加えて、弾性支持されている圧縮要素の上下動の変化に対して、突起部とクランクシャフトの上端部側面に確実に衝突するという作用を有する。
【００１１】
請求項４に記載の発明は、請求項１から請求項３のいずれか一項に記載の発明において、前記突起部の先端部は曲面状を形成するように構成したものであり、請求項１から請求項３に記載の発明の作用に加えて、突起部の剛性が向上しクランクシャフトの上端部側面との衝突時に突起部の変形を抑えるという作用を有する。
【００１２】
請求項５に記載の発明は、請求項１から請求項４のいずれか一項に記載の発明において、前記突起部は弾性支持された圧縮要素の傾き剛性の高い方向に設けるように構成したものであり、請求項１から請求項４のいずれか一項に記載の作用に加えて、突起部とクランクシャフト上端部との距離が狭くなる方向に対して接触しないという作用を有する。
【００１３】
【発明の実施の形態】
以下、本発明による密閉型電動圧縮機の実施例について、図面を参照しながら説明する。
なお、従来と同一構成については、同一符号を付して詳細な説明を省略する。
【００１４】
（実施の形態１）
図１は、本発明の実施の形態１による密閉型電動圧縮機の縦断面図であり、図２は同実施の形態の密閉型電動圧縮機のストッパー斜視図である。
【００１５】
図１、図２において，密閉容器１０１の内部にスプリング１０２により弾性支持された圧縮要素１０３と、前記圧縮要素１０３の上側に固定され、これを駆動する電動要素１０４と、密閉容器１０１の内側上部に固定され、圧縮要素１０３を構成するクランクシャフト１０５の上端部に遊嵌される略カップ状のストッパー１０６が密閉容器１０１内の上部に取り付けられる。前記ストッパー１０６には内周面側に突起した突起部１０６ａを形成することにより構成される。
【００１６】
突起部１０６ａはストッパー１０６を絞り加工して内面に突出させていることによって一体に成型する。また、突起部１０６ａは上下に亘った溝状の形状に形成され、さらに突起部１０６ａの先端部は曲面状に形成されているものである。
【００１７】
以上のような構成において、以下その動作を説明する。圧縮機の運転中に、圧縮負荷の変動や、密閉容器１０１に外力が加わると、スプリング１０２により弾性支持された圧縮要素１０３が揺動してクランクシャフト１０５の上端部がストッパー１０６の内周面に接触することがある。このようなケースではクランクシャフト１０５は自身の自転によりストッパー１０６との接触部が移動し、ストッパー１０６の内周面に沿って連続したすりこぎ回転する。しかし、本発明によれば、クランクシャフト１０５の上端部が突起部１０６ａに衝突し、その衝突による反動でストッパー１０６の内周面に衝突しながら連続的な回転運動が発生することを防止できる。このため、接触による騒音の発生を防止でき、この密閉型電動圧縮機を備えた冷蔵庫等を使用する使用者に不快感を与えることがない。
【００１８】
また、突起部１０６ａは上下に亘って溝形状としているので、スプリング１０２により弾性支持されている圧縮要素１０３が上下の変化に対して、突起部１０６ａとクランクシャフト１０５の上端部側面に確実に衝突する。さらに、突起部の先端部はエッジでなく曲面状としたので突起部１０６ａにクランクシャフト１０５の上端部とが衝突した場合に変形をすることがない。
【００１９】
（実施の形態２）
図３は、本発明の実施の形態２による密閉型電動圧縮機の密閉容器上部の斜視図である。
【００２０】
図３において、本実施の形態は、実施形態１による密閉型電動圧縮機に、さらに突起部１０６ａはスプリング１０２により弾性支持された圧縮要素１０３の傾き剛性の高い方向に設けたものである。なお、圧縮要素１０３の傾き剛性の高い方向とは、圧縮要素１０３の質量のアンバランスと、これを駆動する電動要素１０４の質量によって、傾き剛性は圧縮要素１０３の方向と圧縮要素１０３の方向に対し１８０度方向の電動要素の質量がかかっているため傾き剛性が低い方向である。　これに対し９０度方向側の質量の負荷は小さいため傾き剛性が高い方向となる。
【００２１】
以上のように本実施の形態の密閉型電動圧縮機は、前記圧縮要素１０３を構成するクランクシャフト１０５の上端部に遊嵌される略カップ状のストッパー１０６からなり、ストッパー１０６の内周面側に突出した突起部１０６ａとから構成されているので、クランクシャフト１０５の回転力の反発によりストッパー１０６の内周面に沿ってクランクシャフト１０５の上端部が回転運動を発生する際、クランクシャフト１０５の上端部は突起部１０６ａに衝突し、その衝突した反動でクランクシャフト１０５の上端部は遊嵌されるストッパー１０６の正規位置に戻り回転運動を防止できる。
【００２２】
なお、本実施の形態において、突起部１０６ａとクランクシャフト１０５の上端部との距離が狭くなる方向に対して、電動圧縮機体１０７の運転時はクランクシャフト１０５の上端部に遊嵌されるストッパー１０６の内周面側に突起した突起部１０６ａとが接触することがない。
【００２３】
【発明の効果】
以上説明したように請求項１に記載の発明は、クランクシャフトとストッパーとの連続した回転運動を防止でき騒音の発生を低減できるという効果が得られる。
【００２４】
また、請求項２に記載の発明は、請求項１に記載の発明に加えて、コストが上がらないという効果を得られる。
【００２５】
また、請求項３に記載の発明は、請求項１または請求項２に記載の発明の効果に加えて、確実に回転運動を防止でき騒音の発生を低減できるという効果が得られる。
【００２６】
また、請求項４に記載の発明は、請求項１から請求項４のいずれか一項に記載の発明の効果に加えて、突起部の剛性が向上するという効果が得られる。
【００２７】
また、請求項５に記載の発明は、請求項１から請求項４のいずれか一項に記載の発明の効果に加えて、突起部とクランクシャフトの上端部との距離が狭くなる方向に対して、電動圧縮機体の運転時はクランクシャフトの上端部が遊嵌されるストッパーの内周面側に突出した突起部とが接触することはなく、回転運動を防止でき騒音の発生を低減できるという効果が得られる。
【図面の簡単な説明】
【図１】本発明による実施の形態１の密閉型電動圧縮機の縦断面図
【図２】同実施の形態の密閉型電動圧縮機のストッパー斜視図
【図３】本発明による実施の形態２の密閉型電動圧縮機の密閉容器上部の斜視図
【図４】従来の密閉型電動圧縮機の断面図
【符号の説明】
１０１　密閉容器
１０３　圧縮要素
１０４　電動要素
１０５　クランクシャフト
１０６　ストッパー
１０６ａ　突起部
【図１】
2004138018.tif 000003
【図２】
2004138018.tif 000004
【図３】
2004138018.tif 000005
【図４】
2004138018.tif 000006